(57)【要約】【課題】呼接続に関する伝送データの伝送に不必要に遅延が生じることを抑止することを可能とする。【解決手段】呼接続中継装置１３は、呼接続要求情報部１３１により受信された呼接続要求情報に含まれる要求元アドレス情報の形式を表す要求元形式情報を要求元形式情報取得部１３２が取得する。上記前記呼接続要求情報に含まれる要求先アドレス情報の形式を表す要求先形式情報を要求先形式情報取得部１３３が取得する。要求元形式情報と要求先形式情報とが等しいか否かを形式判断部１３４が判断する。呼接続要求情報送信部１３５は、要求元形式情報と要求先形式情報とが等しい場合には呼接続要求情報を呼接続要求先に送信し、等しくない場合には呼接続要求情報を呼接続要求情報変換装置に送信する。【選択図】    図２
2004260314.tif 000002
【特許請求の範囲】
【請求項１】
ネットワークを介して互いに通信可能な呼接続中継装置と呼接続要求情報変換装置とを備え、
前記呼接続中継装置は、
前記ネットワークを伝送されてきた呼接続要求情報を受信する呼接続要求情報受信手段と、
呼接続要求元を指すために前記呼接続要求情報に含まれる要求元アドレス情報の形式を表す要求元形式情報を取得する要求元形式情報取得手段と、
呼接続要求先を指すために前記呼接続要求情報に含まれる要求先アドレス情報の形式を表す要求先形式情報を取得する要求先形式情報取得手段と、
前記要求元形式情報と前記要求先形式情報とが等しいか否かを判断する形式判断手段と、
この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段とを具備し、
かつ前記呼接続要求情報変換装置は、
前記呼接続中継装置から送信されて前記ネットワークを伝送されてきた前記呼接続要求情報を受信する呼接続要求中継情報受信手段と、
前記呼接続要求情報に含まれる前記要求元アドレス情報の形式を前記呼接続要求情報に含まれる前記要求先アドレス情報と同じ形式に変換する形式変換手段と、
前記要求元アドレス情報の形式が変換された後の呼接続要求情報を前記呼接続要求先に送信する変換呼接続要求情報送信手段とを具備したことを特徴とする呼接続中継システム。
【請求項２】
ネットワークを介して呼接続要求情報変換装置と通信可能な呼接続中継装置において、
前記ネットワークを伝送されてきた呼接続要求情報を受信する呼接続要求情報受信手段と、
呼接続要求元を指すために前記呼接続要求情報に含まれる要求元アドレス情報の形式を表す要求元形式情報を取得する要求元形式情報取得手段と、
呼接続要求先を指すために前記呼接続要求情報に含まれる要求先アドレス情報の形式を表す要求先形式情報を取得する要求先形式情報取得手段と、
前記要求元形式情報と前記要求先形式情報とが等しいか否かを判断する形式判断手段と、
この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段とを具備した呼接続中継装置。
【請求項３】
ネットワークを介して呼接続要求情報変換装置と通信可能な呼接続中継装置に備えられたコンピュータを、
前記ネットワークを伝送されてきた呼接続要求情報を受信する呼接続要求情報受信手段と、
呼接続要求元を指すために前記呼接続要求情報に含まれる要求元アドレス情報の形式を表す要求元形式情報を取得する要求元形式情報取得手段と、
呼接続要求先を指すために前記呼接続要求情報に含まれる要求先アドレス情報の形式を表す要求先形式情報を取得する要求先形式情報取得手段と、
前記要求元形式情報と前記要求先形式情報とが等しいか否かを判断する形式判断手段と、
この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段として機能させることを特徴とするプログラム。
【請求項４】
ネットワークを介して呼接続中継装置と通信可能な呼接続要求情報変換装置において、
前記呼接続中継装置から送信されて前記ネットワークを伝送されてきた前記呼接続要求情報を受信する呼接続要求中継情報受信手段と、
前記呼接続要求情報に含まれる前記要求元アドレス情報の形式を前記呼接続要求情報に含まれる前記要求先アドレス情報と同じ形式に変換する形式変換手段と、
前記要求元アドレス情報の形式が変換された後の呼接続要求情報を前記呼接続要求先に送信する変換呼接続要求情報送信手段とを具備したことを特徴とする呼接続要求情報変換装置。
【請求項５】
ネットワークを介して呼接続中継装置と通信可能な呼接続要求情報変換装置に備えられたコンピュータを、
前記呼接続中継装置から送信されて前記ネットワークを伝送されてきた前記呼接続要求情報を受信する呼接続要求中継情報受信手段と、
前記呼接続要求情報に含まれる前記要求元アドレス情報の形式を前記呼接続要求情報に含まれる前記要求先アドレス情報と同じ形式に変換する形式変換手段と、
前記要求元アドレス情報の形式が変換された後の呼接続要求情報を前記呼接続要求先に送信する変換呼接続要求情報送信手段として機能させることを特徴とするプログラム。
【請求項６】
ネットワークを介して互いに通信可能な呼接続中継装置と呼接続要求情報変換装置とを備え、
前記呼接続中継装置は、
利用者識別情報およびアドレス情報を含む端末アドレス情報を受信する端末アドレス情報受信手段と、
前記端末アドレス情報を格納する端末アドレス情報格納手段と、
前記ネットワークを伝送されてきた呼接続要求情報を受信する呼接続要求情報受信手段と、
前記呼接続要求情報に示される呼接続要求元に対応するアドレス情報の形式を表わす要求元形式情報を生成する要求元形式情報生成手段と、
呼接続要求先を示すために前記呼接続要求情報に含まれる利用者識別情報と同一の利用者識別情報を含んだ前記端末アドレス情報を前記端末アドレス情報格納手段より取得する要求先端末アドレス情報取得手段と、
この要求先端末アドレス情報取得手段により取得された前記端末アドレス情報に含まれるアドレス情報の形式を表す要求先形式情報を取得する要求先形式情報取得手段と、
前記要求元形式情報と前記要求先形式情報とが等しいか否かを判断する形式判断手段と、
この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段とを具備し、
かつ前記呼接続要求情報変換装置は、
前記呼接続中継装置から送信されて前記ネットワークを伝送されてきた前記呼接続要求情報を受信する呼接続要求中継情報受信手段と、
前記呼接続要求情報に含まれる前記要求元アドレス情報の形式を前記呼接続要求情報に含まれる前記要求先アドレス情報と同じ形式に変換する形式変換手段と、
前記要求元アドレス情報の形式が変換された後の呼接続要求情報を前記呼接続要求先に送信する変換呼接続要求情報送信手段とを具備したことを特徴とする呼接続中継システム。
【請求項７】
ネットワークを介して呼接続要求情報変換装置と通信可能な呼接続中継装置において、
利用者識別情報およびアドレス情報を含む端末アドレス情報を受信する端末アドレス情報受信手段と、
前記端末アドレス情報を格納する端末アドレス情報格納手段と、
前記ネットワークを伝送されてきた呼接続要求情報を受信する呼接続要求情報受信手段と、
前記呼接続要求情報に示される呼接続要求元に対応するアドレス情報の形式を表わす要求元形式情報を生成する要求元形式情報生成手段と、
呼接続要求先を示すために前記呼接続要求情報に含まれる利用者識別情報と同一の利用者識別情報を含んだ前記端末アドレス情報を前記端末アドレス情報格納手段より取得する要求先端末アドレス情報取得手段と、
この要求先端末アドレス情報取得手段により取得された前記端末アドレス情報に含まれるアドレス情報の形式を表す要求先形式情報を取得する要求先形式情報取得手段と、
前記要求元形式情報と前記要求先形式情報とが等しいか否かを判断する形式判断手段と、
この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段とを具備したことを特徴とする呼接続中継装置。
【請求項８】
前記要求元形式情報生成手段は、
呼接続要求元を示すために前記呼接続要求情報に含まれる利用者識別情報と同一の利用者識別情報を含んだ前記端末アドレス情報を前記端末アドレス情報格納手段より取得する要求元端末アドレス情報取得手段と、
この要求元端末アドレス情報取得手段により取得された前記端末アドレス情報に含まれるアドレス情報の形式を表す要求元形式情報を取得する要求元形式情報取得手段とを具備することを特徴とする請求項７に記載の呼接続中継装置。
【請求項９】
前記要求元形式情報生成手段は、呼接続要求元を示すために前記呼接続要求情報に含まれるアドレス情報の形式を表す要求元形式情報を取得する要求元形式情報取得手段であることを特徴とする請求項７に記載の呼接続中継装置。
【請求項１０】
前記要求元形式情報生成手段は、
呼接続要求元を示すために前記呼接続要求情報に含まれる利用者識別情報と同一の利用者識別情報を含んだ前記端末アドレス情報を前記端末アドレス情報格納手段より取得する要求元端末アドレス情報取得手段と、
呼接続要求元を示すために前記呼接続要求情報にアドレス情報が含まれるならばこのアドレス情報の形式を表す要求元形式情報を取得し、呼接続要求元を示すために前記呼接続要求情報にアドレス情報が含まれないならば前記要求元端末アドレス情報取得手段により取得された前記端末アドレス情報に含まれるアドレス情報の形式を表す要求元形式情報を取得する要求元形式情報取得手段とを具備することを特徴とする請求項７に記載の呼接続中継装置。
【請求項１１】
ネットワークを介して呼接続要求情報変換装置と通信可能な呼接続中継装置に備えられたコンピュータを、
利用者識別情報およびアドレス情報を含む端末アドレス情報を受信する端末アドレス情報受信手段と、
前記端末アドレス情報を格納する端末アドレス情報格納手段と、
前記ネットワークを伝送されてきた呼接続要求情報を受信する呼接続要求情報受信手段と、
前記呼接続要求情報に示される呼接続要求元に対応するアドレス情報の形式を表わす要求元形式情報を生成する要求元形式情報生成手段と、
呼接続要求先を示すために前記呼接続要求情報に含まれる利用者識別情報と同一の利用者識別情報を含んだ前記端末アドレス情報を前記端末アドレス情報格納手段より取得する要求先端末アドレス情報取得手段と、
この要求先端末アドレス情報取得手段により取得された前記端末アドレス情報に含まれるアドレス情報の形式を表す要求先形式情報を取得する要求先形式情報取得手段と、
前記要求元形式情報と前記要求先形式情報とが等しいか否かを判断する形式判断手段と、
この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段として機能させることを具備したことを特徴とするプログラム。
【請求項１２】
前記要求元形式情報生成手段を、
呼接続要求元を示すために前記呼接続要求情報に含まれる利用者識別情報と同一の利用者識別情報を含んだ前記端末アドレス情報を前記端末アドレス情報格納手段より取得する要求元端末アドレス情報取得手段と、
この要求元端末アドレス情報取得手段により取得された前記端末アドレス情報に含まれるアドレス情報の形式を表す要求元形式情報を取得する要求元形式情報取得手段として機能させることを特徴とする請求項１１に記載のプログラム。
【請求項１３】
前記要求元形式情報生成手段を、呼接続要求元を示すために前記呼接続要求情報に含まれるアドレス情報の形式を表す要求元形式情報を取得する要求元形式情報取得手段として機能させることを特徴とする請求項１１に記載のプログラム。
【請求項１４】
前記要求元形式情報生成手段を、
呼接続要求元を示すために前記呼接続要求情報に含まれる利用者識別情報と同一の利用者識別情報を含んだ前記端末アドレス情報を前記端末アドレス情報格納手段より取得する要求元端末アドレス情報取得手段と、
呼接続要求元を示すために前記呼接続要求情報にアドレス情報が含まれるならばこのアドレス情報の形式を表す要求元形式情報を取得し、呼接続要求元を示すために前記呼接続要求情報にアドレス情報が含まれないならば前記要求元端末アドレス情報取得手段により取得された前記端末アドレス情報に含まれるアドレス情報の形式を表す要求元形式情報を取得する要求元形式情報取得手段として機能させることを特徴とする請求項１１に記載のプログラム。
【請求項１５】
ネットワークを介して互いに通信可能な呼接続中継装置と呼接続要求情報変換装置とを備え、
前記呼接続要求情報変換装置は、
利用者識別情報および第１のアドレス情報を含む端末アドレス情報を受信する端末アドレス情報受信手段と、
前記端末アドレス情報に含まれる前記第１のアドレス情報と異なる形式の前記呼接続要求情報変換装置を指す第２のアドレス情報と前記端末アドレス情報に含まれる前記利用者識別情報および前記第１のアドレス情報とを含むアドレス対応情報を生成するアドレス情報生成手段と、
前記アドレス対応情報を前記呼接続中継装置へ送信するアドレス対応情報送信手段と、
前記アドレス対応情報を格納するアドレス対応情報格納手段とを具備し、
前記呼接続中継装置は、
前記呼接続要求情報変換装置から送信されて前記ネットワークを伝送されてきた前記アドレス対応情報を受信するアドレス対応情報受信手段と、
前記アドレス対応情報に含まれる利用者識別情報、第１のアドレス情報および第２のアドレス情報を互いに対応させて格納するアドレス情報格納手段と、
前記ネットワークを伝送されてきた呼接続要求情報を受信する呼接続要求情報受信手段と、
前記呼接続要求情報に示される呼接続要求元に対応するアドレス情報の形式を表わす要求元形式情報を生成する要求元形式情報生成手段と、
前記呼接続要求情報に含まれる呼接続要求先の利用者識別情報に対応させて前記アドレス情報格納手段に格納されている前記第１のアドレス情報および前記第２のアドレス情報のうちで前記要求元形式情報に示される形式と等しい形式のアドレス情報を取得するアドレス情報取得手段と、
呼接続要求先を示すために前記呼接続要求情報に含まれる利用者識別情報を前記アドレス情報取得手段より取得されたアドレス情報に置換した上で、この置換がなされた後の呼接続要求情報を前記ネットワークへ送信する呼接続要求情報送信手段とを具備し、
さらに前記呼接続要求情報変換装置は、
前記呼接続中継装置によって送信された前記呼接続要求情報を受信する呼接続要求中継情報受信手段と、
この呼接続要求中継情報受信手段によって受信された前記呼接続要求情報に呼接続要求先を示すために含まれる前記第２のアドレス情報をこの第２のアドレス情報に対応させて前記アドレス対応情報格納手段に格納された第１のアドレス情報に置換するアドレス置換手段と、
このアドレス置換手段によってアドレス情報が置換された後の前記呼接続要求情報を前記ネットワークへ送信する変換呼接続要求情報送信手段とを具備したことを特徴とする呼接続中継システム。
【請求項１６】
ネットワークを介して呼接続中継装置と通信可能な呼接続要求情報変換装置において、
利用者識別情報および第１のアドレス情報を含む端末アドレス情報を受信する端末アドレス情報受信手段と、
前記端末アドレス情報に含まれる前記第１のアドレス情報と異なる形式の前記呼接続要求情報変換装置を指す第２のアドレス情報と前記端末アドレス情報に含まれる前記利用者識別情報および前記第１のアドレス情報とを含むアドレス対応情報を生成するアドレス情報生成手段と、
前記アドレス対応情報を前記呼接続中継装置へ送信するアドレス対応情報送信手段と、
前記アドレス対応情報を格納するアドレス対応情報格納手段と、
前記呼接続中継装置によって送信された前記呼接続要求情報を受信する呼接続要求中継情報受信手段と、
この呼接続要求中継情報受信手段によって受信された前記呼接続要求情報に呼接続要求先を示すために含まれる前記第２のアドレス情報をこの第２のアドレス情報に対応させて前記アドレス対応情報格納手段に格納された第１のアドレス情報に置換するアドレス置換手段と、
このアドレス置換手段によってアドレス情報が置換された後の前記呼接続要求情報を前記ネットワークへ送信する変換呼接続要求情報送信手段とを具備したことを特徴とする呼接続要求情報変換装置。
【請求項１７】
ネットワークを呼接続中継装置と通信可能な呼接続要求情報変換装置に備えられたコンピュータを、
利用者識別情報および第１のアドレス情報を含む端末アドレス情報を受信する端末アドレス情報受信手段と、
前記端末アドレス情報に含まれる前記第１のアドレス情報と異なる形式の前記呼接続要求情報変換装置を指す第２のアドレス情報と前記端末アドレス情報に含まれる前記利用者識別情報および前記第１のアドレス情報とを含むアドレス対応情報を生成するアドレス情報生成手段と、
前記アドレス対応情報を前記呼接続中継装置へ送信するアドレス対応情報送信手段と、
前記アドレス対応情報を格納するアドレス対応情報格納手段と、
前記呼接続中継装置によって送信された前記呼接続要求情報を受信する呼接続要求中継情報受信手段と、
この呼接続要求中継情報受信手段によって受信された前記呼接続要求情報に呼接続要求先を示すために含まれる前記第２のアドレス情報をこの第２のアドレス情報に対応させて前記アドレス対応情報格納手段に格納された第１のアドレス情報に置換するアドレス置換手段と、
このアドレス置換手段によってアドレス情報が置換された後の前記呼接続要求情報を前記ネットワークへ送信する変換呼接続要求情報送信手段として機能させることを特徴とするプログラム。
【請求項１８】
ネットワークを介して呼接続要求情報変換装置と通信可能な呼接続中継装置において、
前記呼接続要求情報変換装置から送信されて前記ネットワークを伝送されてきた前記アドレス対応情報を受信するアドレス対応情報受信手段と、
前記アドレス対応情報に含まれる利用者識別情報、第１のアドレス情報および第２のアドレス情報を互いに対応させて格納するアドレス情報格納手段と、
前記ネットワークを伝送されてきた呼接続要求情報を受信する呼接続要求情報受信手段と、
前記呼接続要求情報に示される呼接続要求元に対応するアドレス情報の形式を表わす要求元形式情報を生成する要求元形式情報生成手段と、
前記呼接続要求情報に含まれる呼接続要求先の利用者識別情報に対応させて前記アドレス情報格納手段に格納されている前記第１のアドレス情報および前記第２のアドレス情報のうちで前記要求元形式情報に示される形式と等しい形式のアドレス情報を取得するアドレス情報取得手段と、
呼接続要求先を示すために前記呼接続要求情報に含まれる利用者識別情報を前記アドレス情報取得手段より取得されたアドレス情報に置換した上で、この置換がなされた後の呼接続要求情報を前記ネットワークへ送信する呼接続要求情報送信手段とを具備したことを特徴とする呼接続中継装置。
【請求項１９】
前記要求元形式情報生成手段は、
呼接続要求元を示すために前記呼接続要求情報に含まれる利用者識別情報に対応させて前記アドレス情報格納手段に格納されている前記第１のアドレス情報を取得する要求元アドレス情報取得手段と、
この要求元アドレス情報取得手段により取得された前記第１のアドレス情報の形式を表す要求元形式情報を取得する要求元形式情報取得手段とを具備することを特徴とする請求項１８に記載の呼接続中継装置。
【請求項２０】
前記要求元形式情報生成手段は、
呼接続要求元を示すために前記呼接続要求情報に含まれるアドレス情報の形式を表す要求元形式情報を取得する要求元形式情報取得手段とを具備することを特徴とする請求項１８に記載の呼接続中継装置。
【請求項２１】
前記要求元形式情報生成手段は、
呼接続要求元を示すために前記呼接続要求情報に含まれる利用者識別情報に対応させて前記アドレス情報格納手段に格納されている前記第１のアドレス情報を取得する要求元アドレス情報取得手段と、
呼接続要求元を示すために前記呼接続要求情報にアドレス情報が含まれるならばこのアドレス情報の形式を表す要求元形式情報を取得し、呼接続要求元を示すために前記呼接続要求情報にアドレス情報が含まれないならば前記要求元アドレス情報取得手段により取得された前記第１のアドレス情報の形式を表す要求元形式情報を取得する要求元形式情報取得手段とを具備することを特徴とする請求項１８に記載の呼接続中継装置。
【請求項２２】
ネットワークを介して呼接続要求情報変換装置と通信可能な呼接続中継装置に備えられたコンピュータを、
前記呼接続要求情報変換装置から送信されて前記ネットワークを伝送されてきた前記アドレス対応情報を受信するアドレス対応情報受信手段と、
前記アドレス対応情報に含まれる利用者識別情報、第１のアドレス情報および第２のアドレス情報を互いに対応させて格納するアドレス情報格納手段と、
前記ネットワークを伝送されてきた呼接続要求情報を受信する呼接続要求情報受信手段と、
前記呼接続要求情報に示される呼接続要求元に対応するアドレス情報の形式を表わす要求元形式情報を生成する要求元形式情報生成手段と、
前記呼接続要求情報に含まれる呼接続要求先の利用者識別情報に対応させて前記アドレス情報格納手段に格納されている前記第１のアドレス情報および前記第２のアドレス情報のうちで前記要求元形式情報に示される形式と等しい形式のアドレス情報を取得するアドレス情報取得手段と、
呼接続要求先を示すために前記呼接続要求情報に含まれる利用者識別情報を前記アドレス情報取得手段より取得されたアドレス情報に置換した上で、この置換がなされた後の呼接続要求情報を前記ネットワークへ送信する呼接続要求情報送信手段として機能させることを特徴とするプログラム。
【請求項２３】
前記要求元形式情報生成手段を、
呼接続要求元を示すために前記呼接続要求情報に含まれる利用者識別情報に対応させて前記アドレス情報格納手段に格納されている前記第１のアドレス情報を取得する要求元アドレス情報取得手段と、
この要求元アドレス情報取得手段により取得された前記第１のアドレス情報の形式を表す要求元形式情報を取得する要求元形式情報取得手段として機能させることを特徴とする請求項２２に記載のプログラム。
【請求項２４】
前記要求元形式情報生成手段を、
呼接続要求元を示すために前記呼接続要求情報に含まれるアドレス情報の形式を表す要求元形式情報を取得する要求元形式情報取得手段として機能させることを特徴とする請求項２２に記載のプログラム。
【請求項２５】
前記要求元形式情報生成手段を、
呼接続要求元を示すために前記呼接続要求情報に含まれる利用者識別情報に対応させて前記アドレス情報格納手段に格納されている前記第１のアドレス情報を取得する要求元アドレス情報取得手段と、
呼接続要求元を示すために前記呼接続要求情報にアドレス情報が含まれるならばこのアドレス情報の形式を表す要求元形式情報を取得し、呼接続要求元を示すために前記呼接続要求情報にアドレス情報が含まれないならば前記要求元アドレス情報取得手段により取得された前記第１のアドレス情報の形式を表す要求元形式情報を取得する要求元形式情報取得手段として機能させることを特徴とする請求項２２に記載のプログラム。
【請求項２６】
前記アドレス情報が、インターネットプロトコルにおけるＩＰアドレスよりなることを特徴とする請求項１、請求項６および請求項１５のいずれか１項に記載の呼接続中継システム。
【請求項２７】
前記アドレス情報が、ＩＰｖ４およびＩＰｖ６に準拠した形式よりなることを特徴とする請求項２６に記載の呼接続中継システム。
【発明の詳細な説明】
【０００１】
【発明の属する技術分野】
本発明は、呼接続中継システムに関し、詳しくは、ネットワークを介して端末装置間の通信の確立を要求する呼接続要求情報を中継する呼接続中継システムに関するものである。
【０００２】
【従来の技術】
従来、インターネット網で用いられるインターネットプロトコル（Ｉｎｔｅｒｎｅｔ  Ｐｒｏｔｏｃｏｌ、以下ＩＰという。）の１つであるＩＰｖ４において、インターネット網を介して通信する端末装置を識別するためのアドレス情報、すなわちＩＰアドレスが不足するようになってきた。このため、ＩＰｖ４に代わりＩＰアドレスをより多く設定できるＩＰｖ６が提案され、ＩＰｖ６に準拠した端末やネットワーク装置が提供されている。
【０００３】
インターネット網がＩＰｖ４からＩＰｖ６に移行する際に、インターネット網にはＩＰｖ４およびＩＰｖ６に準拠した端末が接続され、インターネット網内に通信データが混在されて伝送されるようになる。このような網に対応できるルータなどの中継装置の構成を、ＩＰｖ４／ＩＰｖ６二重構成（ＩＰｖ４／ＩＰｖ６デュアルスタックともいう。）という。このＩＰｖ４／ＩＰｖ６デュアルスタックの中継装置によって、それぞれの端末装置が認識できるようＩＰｖ４形式とＩＰｖ６形式とを相互に変換するＩＰｖ４／ＩＰｖ６変換を行う中継装置に関する技術が開示されている。
【０００４】
例えば、特許文献１には、ＩＰｖ４／ＩＰｖ６変換を行い、ＩＰｖ６を認識する端末装置側には、ＩＰｖ６のアドレスを動的に割り当てるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして中継装置を認識させ、実際にアドレスを割り当てているＩＰｖ４のＤＨＣＰサーバ側には、ＩＰｖ４を認識する端末装置として中継装置を認識させる技術が開示されている。
【０００５】
【特許文献１】
特開２００１−２７４８４５（段落番号０００７乃至段落番号００１８、図１及び図２）
【発明が解決しようとする課題】
しかしながら、前述したような従来の技術では、伝送される通信データがＩＰｖ４／ＩＰｖ６変換を行うＩＰｖ４／ＩＰｖ６変換装置を必ず経由するように呼接続時にアドレス解決するため、ＩＰｖ４／ＩＰｖ６変換装置の負荷が増加し、伝送遅延が発生するといった不具合があった。
【０００６】
本発明はこのような事情を考慮してなされたものであり、その目的とするところは、呼接続に関する伝送データの伝送に不必要に遅延が生じることを抑止することを可能とする呼接続中継システム、呼接続中継装置およびそのプログラム、呼接続要求情報変換装置およびそのプログラムを提供することにある。
【０００７】
【課題を解決するための手段】
以上の目的を達成するために第１の本発明では、呼接続中継装置は、ネットワークを伝送されてきた呼接続要求情報を受信する呼接続要求情報受信手段と、呼接続要求元を指すために前記呼接続要求情報に含まれる要求元アドレス情報の形式を表す要求元形式情報を取得する要求元形式情報取得手段と、呼接続要求先を指すために前記呼接続要求情報に含まれる要求先アドレス情報の形式を表す要求先形式情報を取得する要求先形式情報取得手段と、前記要求元形式情報と前記要求先形式情報とが等しいか否かを判断する形式判断手段と、この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記ネットワークを介して呼接続要求情報変換装置に送信する呼接続要求情報送信手段とを備えて構成した。
【０００８】
かつ第１の本発明では、前記ネットワークを介して上記の呼接続中継装置と通信可能な呼接続要求情報変換装置は、前記呼接続中継装置から送信されて前記ネットワークを伝送されてきた前記呼接続要求情報を受信する呼接続要求中継情報受信手段と、前記呼接続要求情報に含まれる前記要求元アドレス情報の形式を前記呼接続要求情報に含まれる前記要求先アドレス情報と同じ形式に変換する形式変換手段と、前記要求元アドレス情報の形式が変換された後の呼接続要求情報を前記呼接続要求先に送信する変換呼接続要求情報送信手段とを備えて構成した。
【０００９】
このような手段を講じたことにより、呼接続中継装置では、ネットワークを伝送されてきた呼接続要求情報に含まれる要求元アドレス情報の形式を表す要求元形式情報と、呼接続要求先を指すために呼接続要求情報に含まれる要求先アドレス情報の形式を表す要求先形式情報とが取得され、これらの形式情報が互いに等しい場合には前記呼接続要求先に、また等しくない場合には呼接続要求情報変換装置にそれぞれ呼接続要求情報が送信される。
【００１０】
そして呼接続要求情報変換装置では、呼接続中継装置から送信されてネットワークを伝送されてきた呼接続要求情報に含まれる要求元アドレス情報の形式を要求先アドレス情報と同じ形式に変換された上で、この要求元アドレス情報の形式が変換された後の呼接続要求情報が呼接続要求先に送信される。
【００１１】
従って第１の本発明によれば、要求元アドレス情報の形式変換が必要な呼接続要求情報のみが呼接続要求情報変換装置に送られ、要求元アドレス情報の形式変換がなされる。
【００１２】
前記目的を達成するために第２の本発明では、前記呼接続中継装置は、利用者識別情報およびアドレス情報を含む端末アドレス情報を受信する端末アドレス情報受信手段と、前記端末アドレス情報を格納する端末アドレス情報格納手段と、前記ネットワークを伝送されてきた呼接続要求情報を受信する呼接続要求情報受信手段と、前記呼接続要求情報に含まれる呼接続要求元の利用者識別情報と同一の利用者識別情報を含んだ前記端末アドレス情報を前記端末アドレス情報格納手段より取得する要求元端末アドレス情報取得手段と、この要求元端末アドレス情報取得手段により取得された前記端末アドレス情報に含まれるアドレス情報の形式を表す要求元形式情報を取得する要求元形式情報取得手段と、前記呼接続要求情報に含まれる呼接続要求先の利用者識別情報を含んだ前記端末アドレス情報を前記端末アドレス情報格納手段より取得する要求先端末アドレス情報取得手段と、この要求先端末アドレス情報取得手段により取得された前記端末アドレス情報に含まれるアドレス情報の形式を表す要求先形式情報を取得する要求先形式情報取得手段と、前記要求元形式情報と前記要求先形式情報とが等しいか否かを判断する形式判断手段と、この形式判断手段により前記要求元形式情報と前記要求先形式情報とが等しいと判断された場合には前記呼接続要求情報を前記呼接続要求先に送信し、前記形式判断手段により前記要求元形式情報と前記要求先形式情報とが等しくないと判断された場合には前記呼接続要求情報を前記呼接続要求情報変換装置に送信する呼接続要求情報送信手段とを備えて構成した。
【００１３】
かつ第２の本発明では、前記ネットワークを介して上記の呼接続中継装置と通信可能な前記呼接続要求情報変換装置は、前記呼接続中継装置から送信されて前記ネットワークを伝送されてきた前記呼接続要求情報を受信する呼接続要求中継情報受信手段と、前記呼接続要求情報に含まれる前記要求元アドレス情報の形式を前記呼接続要求情報に含まれる前記要求先アドレス情報と同じ形式に変換する形式変換手段と、前記要求元アドレス情報の形式が変換された後の呼接続要求情報を前記呼接続要求先に送信する変換呼接続要求情報送信手段とを備えて構成した。
【００１４】
呼接続中継装置では、利用者識別情報およびアドレス情報を含む端末アドレス情報を受信し、格納しておくことで、利用者識別情報とアドレス情報との対応関係を登録しておく。呼接続中継装置では、ネットワークを伝送されてきた呼接続要求情報に示される呼接続要求元に対応するアドレス情報の形式を表す要求元形式情報と、呼接続要求先の利用者識別情報に対応する呼接続要求先を指すために呼接続要求情報に含まれる要求先アドレス情報の形式を表す要求先形式情報とが取得され、これらの形式情報が互いに等しい場合には前記呼接続要求先に、また等しくない場合には呼接続要求情報変換装置にそれぞれ呼接続要求情報が送信される。
【００１５】
そして呼接続要求情報変換装置では、呼接続中継装置から送信されてネットワークを伝送されてきた呼接続要求情報に含まれる要求元アドレス情報の形式を要求先アドレス情報と同じ形式に変換された上で、この要求元アドレス情報の形式が変換された後の呼接続要求情報が呼接続要求先に送信される。
【００１６】
従って第２の本発明によれば、要求元アドレス情報の形式変換が必要な呼接続要求情報のみが呼接続要求情報変換装置に送られ、要求元アドレス情報の形式変換がなされる。
【００１７】
前記の目的を達成するために第３の本発明では、呼接続要求情報変換装置は、利用者識別情報および第１のアドレス情報を含む端末アドレス情報を受信する端末アドレス情報受信手段と、前記端末アドレス情報に含まれる前記第１のアドレス情報と異なる形式の前記呼接続要求情報変換装置を指す第２のアドレス情報と前記端末アドレス情報に含まれる前記利用者識別情報および前記第１のアドレス情報とを含むアドレス対応情報を生成するアドレス情報生成手段と、前記アドレス対応情報を前記呼接続中継装置へ送信するアドレス対応情報送信手段と、前記アドレス対応情報を格納するアドレス対応情報格納手段とを備えて構成した。
【００１８】
また第３の発明では、前記ネットワークを介して呼接続要求情報変換装置と通信可能な呼接続中継装置は、前記呼接続要求情報変換装置から送信されて前記ネットワークを伝送されてきた前記アドレス対応情報を受信するアドレス対応情報受信手段と、前記アドレス対応情報に含まれる利用者識別情報、第１のアドレス情報および第２のアドレス情報を互いに対応させて格納するアドレス情報格納手段と、前記ネットワークを伝送されてきた呼接続要求情報を受信する呼接続要求情報受信手段と、前記呼接続要求情報に示される呼接続要求元に対応するアドレス情報を取得する要求元アドレス情報取得手段と、この要求元アドレス情報取得手段により取得された前記アドレス情報の形式を表す要求元形式情報を取得する要求元形式情報取得手段と、前記呼接続要求情報に含まれる呼接続要求先の利用者識別情報に対応させて前記アドレス情報格納手段に格納されている前記第１のアドレス情報および前記第２のアドレス情報のうちで前記要求元形式情報に示される形式と等しい形式のアドレス情報を取得するアドレス情報取得手段と、前記呼接続要求情報に含まれる呼接続要求先の利用者識別情報を前記アドレス情報取得手段より取得されたアドレス情報に置換した上で、この置換がなされた後の呼接続要求情報を前記ネットワークへ送信する呼接続要求情報送信手段とを備えて構成した。
【００１９】
さらに第３の発明では、前記呼接続要求情報変換装置に、前記呼接続中継装置によって送信された前記呼接続要求情報を受信する呼接続要求中継情報受信手段と、この呼接続要求中継情報受信手段によって受信された前記呼接続要求情報に呼接続要求先を示すために含まれる前記第２のアドレス情報をこの第２のアドレス情報に対応させて前記アドレス対応情報格納手段に格納された第１のアドレス情報に置換するアドレス置換手段と、このアドレス置換手段によってアドレス情報が置換された後の前記呼接続要求情報を前記ネットワークへ送信する変換呼接続要求情報送信手段とを備えた。
【００２０】
このような手段を講じたことにより、呼接続要求情報変換装置では、受信した端末アドレス情報に含まれる第１のアドレス情報と異なる形式の呼接続要求情報変換装置を指す第２のアドレス情報と、端末アドレス情報に含まれる利用者識別情報および第１のアドレス情報とを含むアドレス対応情報が生成され、このアドレス対応情報が呼接続中継装置および呼接続要求情報変換装置でそれぞれ格納される。呼接続中継装置では、ネットワークを伝送されてきた呼接続要求情報に含まれる呼接続要求元の利用者識別情報に対応させて格納されている第１のアドレス情報の形式を表す要求元形式情報が取得され、さらに呼接続要求情報に含まれる呼接続要求先の利用者識別情報に対応させて格納されている第１のアドレス情報および第２のアドレス情報のうちで要求元形式情報に示される形式と等しい形式のアドレス情報が取得される。そして呼接続中継装置では、呼接続要求情報に含まれる呼接続要求先の利用者識別情報が上記の取得されたアドレス情報に置換された上で、この置換がなされた後の呼接続要求情報がネットワークへ送信される。さらに呼接続要求情報変換装置では、呼接続中継装置によって送信された呼接続要求情報に呼接続要求先を示すために含まれる第２のアドレス情報がこの第２のアドレス情報に対応させて格納してある第１のアドレス情報に置換された上で、このようにアドレス情報が置換された後の呼接続要求情報がネットワークへ送信される。
【００２１】
従って、呼接続要求元のアドレス情報の形式が第２のアドレス情報の形式と等しい場合にのみ呼接続要求情報変換装置に送られ、要求元アドレス情報の形式変換がなされる。
【００２２】
【発明の実施の形態】
以下、本発明の実施の形態について、図面を参照して説明する。
【００２３】
なおここでは、インターネット等のネットワーク上でマルチメディアサービスを提供するために呼を確立するためのプロトコルであるセション・イニシエーション・プロトコル（Ｓｅｓｓｉｏｎ  Ｉｎｉｔｉａｔｉｏｎ  Ｐｒｏｔｏｃｏｌ、以下ＳＩＰと称する）を適用した呼接続中継システムを例にいくつかの実施の形態を説明する。従って、呼接続要求元または呼接続要求先を示すアドレス情報はＩＰアドレスである。ＩＰアドレスの形式は、ＩＰｖ４またはＩＰｖ６のいずれかに準拠することとする。
【００２４】
（第１の実施の形態）
図１は第１の実施の形態に係る呼接続中継システム１の構成を示すブロック図である。
図１に示すように呼接続中継システム１は、呼接続要求装置１１、呼接続先装置１２、呼接続中継装置１３、呼接続要求情報変換装置１４およびデータ変換装置１５を含む。そしてこれらの呼接続要求装置１１、呼接続先装置１２、呼接続中継装置１３、呼接続要求情報変換装置１４およびデータ変換装置１５は、インターネット等のネットワーク１６を介して互いに通信可能となっている。
【００２５】
なお、これらの呼接続要求装置１１、呼接続先装置１２、呼接続中継装置１３、呼接続要求情報変換装置１４およびデータ変換装置１５は、図１においては１つずつが図示されているが、それぞれ複数が含まれていても良い。
【００２６】
呼接続要求装置１１および呼接続先装置１２は、ＳＩＰネットワークにおける端末装置、すなわちユーザエージェント（Ｕｓｅｒ  Ａｇｅｎｔ、ＵＡ）に相当する。呼接続要求装置１１は、ネットワーク１６を介した呼接続を要求する端末である。呼接続先装置１２は、呼接続要求装置１１による呼接続の要求先となる端末である。
【００２７】
呼接続中継装置１３は、呼接続要求装置１１による呼接続の要求を中継する。
呼接続要求情報変換装置１４は、呼接続の要求を表す呼接続要求情報の形式を変換する。データ変換装置１５は、呼接続された呼接続要求装置１１と呼接続先装置１２との間で送受信されるデータを変換する。
【００２８】
図２は呼接続中継装置１３の構成を示すブロック図である。
図２に示すように呼接続中継装置１３は、呼接続要求情報受信部１３１、要求元形式情報取得部１３２、要求先形式情報取得部１３３、形式判断部１３４、呼接続要求情報送信部１３５およびネットワークインタフェース１３６を含む。
【００２９】
なお呼接続中継装置１３は、例えば端末装置間に介在してＳＩＰに準拠した各命令を中継するＳＩＰサーバとして動作するコンピュータ装置を基本構成として利用することができる。そして上記の各部は、上記のコンピュータ装置が有する中央処理装置（Ｃｅｎｔｒａｌ  Ｐｒｏｃｅｓｓｉｎｇ  Ｕｎｉｔ、以下単にＣＰＵと称する）に上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【００３０】
呼接続要求情報受信部１３１は、ネットワーク１６を伝送されてきた呼接続要求情報をネットワークインタフェース１３６を介して受信する。呼接続要求情報受信部１３１は、受信した呼接続要求情報を出力する。
【００３１】
要求元形式情報取得部１３２は、呼接続要求元を指すアドレス情報の形式を表す要求元形式情報を、呼接続要求情報受信部１３１が出力する呼接続要求情報から取得する。要求元形式情報取得部１３２は、取得した要求元形式情報を形式判断部１３４に出力する。要求元形式情報取得部１３２は、ＳＩＰにおいて呼接続要求情報を構成するＩＮＶＩＴＥ命令に含まれていて中継経路を表すＶＩＡヘッダ情報、呼接続要求元を表すＦＲＯＭヘッダ情報、呼接続要求情報に対する応答先を表すＣＯＮＴＡＣＴヘッダ情報、あるいはこれらヘッダ情報に続くメッセージボディ部よりＩＰアドレスが得られる場合には、このＩＰアドレスの形式に基づいて要求元形式情報を取得する。
【００３２】
なお、セッションの接続先や使用するポート、どのように符号化するかといったセッションに関する情報を規定するＳＤＰ（Ｓｅｓｓｉｏｎ  Ｄｅｓｃｒｉｐｔｉｏｎ  Ｐｒｏｔｏｃｏｌ）によって上述したメッセージボディ部が構成されている場合には、要求元形式情報取得部１３２は、メッセージボディ部に含まれ、接続情報を表すｃラインより得られるＩＰアドレスの形式に基づいて要求元形式情報を取得するようにしてもよい。
【００３３】
また、上述したＶＩＡヘッダ情報、ＦＲＯＭヘッダ情報、ＣＯＮＴＡＣＴヘッダ情報、およびメッセージボディ部よりＩＰアドレスが得られない場合には、ＩＰアドレスの代わりに格納されているドメイン名等の宛先情報を取得し、この宛先情報に基づいて図示しないロケーションサーバ（Ｌｏｃａｔｉｏｎ  Ｓｅｒｖｅｒ）やドメイン名サーバ（Ｄｏｍａｉｎ  Ｎａｍｅ  Ｓｅｒｖｅｒ、以下単にＤＮＳと称する）を介してＩＰアドレスを取得する。
【００３４】
なお、要求元形式情報取得部１３２は、呼接続要求情報を構成するＩＰ層部に格納されているバージョン情報より要求元形式情報を取得するようにしてもよい。
【００３５】
要求先形式情報取得部１３３は、呼接続要求先を指すアドレス情報の形式を表す要求先形式情報を、呼接続要求情報受信部１３１が出力する呼接続要求情報から取得する。要求先形式情報取得部１３３は、取得した要求先形式情報を形式判断部１３４に出力する。要求先形式情報取得部１３３は、上述したＩＮＶＩＴＥ命令に含まれる接続要求先を表すＴＯヘッダ情報よりＩＰアドレスが得られる場合には、このＩＰアドレスの形式に基づいて要求先形式情報を取得する。
【００３６】
形式判断部１３４は、要求元形式情報取得部１３２が出力する要求元形式情報に示される形式と、要求先形式情報取得部１３３が出力する要求先形式情報に示される形式とが等しいか否かを判断する。形式判断部１３４は、判断結果を表す形式判断情報を出力する。
【００３７】
呼接続要求情報送信部１３５は、呼接続要求情報受信部１３１が出力する呼接続要求情報をネットワークインタフェース１３６を介してネットワーク１６へ送出する。呼接続要求情報送信部１３５は、この送出する呼接続要求情報の送信先を形式判断部１３４が出力する形式判断情報に応じて変化させる。すなわち呼接続要求情報送信部１３５は、形式判断情報が「等しい」を示している場合には呼接続要求情報の送信先を呼接続先装置１２とし、形式判断情報が「等しくない」を示している場合には呼接続要求情報の送信先を呼接続要求情報変換装置１４とする。なお呼接続要求情報送信部１３５は、取得した呼接続要求情報および形式判断情報を記憶しておき、ＡＣＫ命令等の呼接続に関する他の命令を受信した場合には、上記の記憶した内容を元に呼接続要求情報と同様にして上記の命令を呼接続先装置１２または呼接続要求情報変換装置１４に送信する。
【００３８】
ネットワークインタフェース１３６は、ネットワーク１６を介して他の装置と通信を行うための各種インタフェース処理を行う。
【００３９】
図３は呼接続要求情報変換装置１４の構成を示すブロック図である。
図３に示すように呼接続要求情報変換装置１４は、呼接続要求中継情報受信部１４１、形式変換部１４２、変換呼接続要求情報送信部１４３、形式変換情報送信部１４４およびネットワークインタフェース１４５を含む。
【００４０】
呼接続要求情報変換装置１４は、ＳＩＰに準拠した各命令を構成するアプリケーション層部をＩＰｖ４／ＩＰｖ６変換するＳＩＰ−アプリケーション・レベル・ゲートウェイ（ＳＩＰ−Ａｐｐｌｉｃａｔｉｏｎ  Ｌｅｖｅｌ  Ｇａｔｅｗａｙ、以下単にＳＩＰ−ＡＬＧと称する）、および上述した各命令を構成するＩＰ層部をＩＰｖ４／ＩＰｖ６変換するトランスレータとして機能するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【００４１】
呼接続要求中継情報受信部１４１は、呼接続中継装置１３の呼接続要求情報送信部１３５によって送信され、ネットワーク１６を伝送されて到来した呼接続要求情報をネットワークインタフェース１４５を介して受信する。呼接続要求中継情報受信部１４１は、受信した呼接続要求情報を出力する。
【００４２】
形式変換部１４２は、呼接続要求中継情報受信部１４１が出力する呼接続要求情報に含まれていて呼接続要求元を指すアドレス情報を要求先形式情報に示される形式に変換する。形式変換部１４２は、アドレス情報を形式変換した後のアドレス情報に置換した呼接続要求情報を変換呼接続要求情報送信部１４３へ出力する。具体的には、形式変換部１４２は、ＩＰｖ４およびＩＰｖ６のそれぞれに準拠した形式の複数のＩＰアドレスを予め保持している。形式変換部１４２は、呼接続要求元を指すＩＰアドレスがＩＰｖ４に準拠した形式であれば、ＩＰｖ６に準拠した形式の保持されたＩＰアドレスで上記の呼接続要求元を指すＩＰアドレスを置き換え、呼接続要求元を指すＩＰアドレスがＩＰｖ６に準拠した形式であれば、ＩＰｖ４に準拠した形式の保持されたＩＰアドレスで上記の呼接続要求元を指すＩＰアドレスを置き換える。なお形式変換部１４２は、上記の置き換えを行った結果を記憶しておき、ＡＣＫ命令等の呼接続に関するその他の命令も呼接続要求情報と同様に形式変換する。
【００４３】
また形式変換部１４２は、呼接続先装置１２から呼接続要求装置１１に向けて送信されるＴＲＹＩＮＧ命令、あるいはＲＩＮＧＩＮＧ命令等の呼接続の要求に対する応答命令を構成する呼接続要求先を指すＩＰアドレスがＩＰｖ４に準拠した形式であれば、ＩＰｖ６に準拠した形式の保持されたＩＰアドレスで呼接続要求先を指すＩＰアドレスを置き換え、呼接続要求先を指すＩＰアドレスがＩＰｖ６に準拠した形式であれば、ＩＰｖ４に準拠した形式の保持されたＩＰアドレスで呼接続要求先を指すＩＰアドレスを置き換える。すなわち形式変換部１４２は、前述した応答命令に対しては、呼接続要求情報と逆に形式変換する。
【００４４】
さらに形式変換部１４２は、呼接続要求元を指すアドレス情報と形式変換されたアドレス情報とを含む形式変換情報を生成する。形式変換部１４２は、この形式変換情報を形式変換情報送信部１４４へ出力する。
【００４５】
変換呼接続要求情報送信部１４３は、形式変換部１４２が出力した呼接続要求情報を呼接続先装置１２へと送信するためにネットワークインタフェース１４５を介してネットワーク１６へ送出する。
【００４６】
形式変換情報送信部１４４は、形式変換部１４２が出力する形式変換情報をデータ変換装置１５へと送信するためにネットワークインタフェース１４５を介してネットワーク１６へ送出する。
【００４７】
図１に示されるデータ変換装置１５は、リアルタイム性が要求されるデータストリーム転送のためのリアルタイムデータ転送プロトコル（Ｒｅａｌ−ｔｉｍｅ  Ｔｒａｎｓｐｏｒｔ  Ｐｒｏｔｏｃｏｌ、以下単にＲＴＰと称する）に準拠したデータ転送を行い、ＩＰ層部のＩＰｖ４／ＩＰｖ６変換を行うトランスレータを構成するＣＰＵを有するコンピュータ装置によって構成される。またデータ変換装置１５は、呼接続要求情報変換装置１４の形式変換情報送信部１４４によって送信された形式変換情報を受信し、呼接続が確立した際に呼接続要求装置１１と呼接続先装置１２との間で送受信されるマルチメディア情報などの伝送データを受信された形式変換情報に基づいてＩＰｖ４／ＩＰｖ６変換を行う。
【００４８】
なお、呼接続要求元と呼接続要求先のアドレス形式が等しく、呼接続中継装置１３の呼接続要求情報送信部１３５によって呼接続先装置１２に送信された呼接続要求情報によって確立された呼に基づいて送受信される伝送データは、呼接続要求装置１１と呼接続先装置１２との間でデータ変換装置１５を介さずに送受信される。
【００４９】
次に以上のように構成された呼接続中継システム１の動作につき説明する。
図４は呼接続中継装置１３の呼接続要求中継動作を示すフローチャートである。
呼接続要求装置１１が呼接続先装置１２との通信を開始する場合、呼接続要求元のアドレスとして呼接続要求装置１１のアドレスを示すとともに、呼接続要求先のアドレスとして呼接続先装置１２のアドレスを示した呼接続要求情報を呼接続要求装置１１が呼接続中継装置１３へ送る。
【００５０】
呼接続中継装置１３にて呼接続要求情報受信部１３１は、呼接続要求情報が到来するのを待ち受けており、上述のように呼接続要求装置１１から送信された呼接続要求情報が到来したならば、この呼接続要求情報を呼接続要求情報受信部１３１が受信する（ステップＳ１１）。
【００５１】
このように呼接続要求情報が受信されると、要求元形式情報取得部１３２が、上記の呼接続要求情報から要求元形式情報を取得する（ステップＳ１２）。また、要求先形式情報取得部１３３が、上記の呼接続要求情報から要求先形式情報を取得する（ステップＳ１３）。
【００５２】
次に形式判断部１３４が、ステップＳ１２にて取得された要求元形式情報に示される形式とステップＳ１３にて取得された要求先形式情報に示される形式とが等しいか否かを判断する（ステップＳ１４）。
【００５３】
要求元形式情報に示される形式と要求先形式情報に示される形式とが等しいと形式判断部１３４によって判断された場合には、呼接続要求情報送信部１３５は呼接続要求情報を呼接続先装置１２へネットワークインタフェース１３６を介して送信する（ステップＳ１５）。
【００５４】
一方、要求元形式情報に示される形式と要求先形式情報に示される形式とが等しくないと形式判断部１３４によって判断された場合には、呼接続要求情報送信部１３５は呼接続要求情報を呼接続要求情報変換装置１４へネットワークインタフェース１３６を介して送信する（ステップＳ１６）。
【００５５】
図５は呼接続要求情報変換装置１４の呼接続要求情報変換動作を示すフローチャートである。
【００５６】
呼接続要求情報変換装置１４において呼接続要求中継情報受信部１４１は、呼接続要求情報が到来するのを待ち受けており、上述のように呼接続中継装置１３から送信された呼接続要求情報が到来したならば、この呼接続要求情報を呼接続要求中継情報受信部１４１が受信する（ステップＳ２１）。
【００５７】
次に形式変換部１４２が、上記受信された呼接続要求情報に含まれる呼接続要求元を指すアドレス情報がＩＰｖ４に準拠した形式であるか否かを確認する（ステップＳ２２）。そしてＩＰｖ４に準拠した形式であれば、形式変換部１４２が当該アドレス情報をＩＰｖ６に準拠した形式に形式変換する（ステップＳ２３）。
【００５８】
一方、呼接続要求情報に含まれる呼接続要求元を指すアドレス情報がＩＰｖ６に準拠した形式であれば、形式変換部１４２が当該アドレス情報をＩＰｖ４に準拠した形式に形式変換する（ステップＳ２４）。
【００５９】
そして変換呼接続要求情報送信部１４３が、形式変換部１４２によってアドレス情報の形式変換がなされた後の呼接続要求情報を、ネットワークインタフェース１４５を介して呼接続先装置１２へ送信する（ステップＳ２５）。
【００６０】
以上説明したように呼接続中継システム１によれば、呼接続中継装置１３においてアドレス情報の形式変換の要否を判断する。そして、形式変換が必要である場合にのみ、呼接続要求情報は呼接続要求情報変換装置１４を介して呼接続先装置１２に送信され、形式変換が必要でない場合には、呼接続要求情報は呼接続要求情報変換装置１４を介さずに呼接続中継装置１３から呼接続先装置１２に送信される。従って、アドレス情報の形式変換が不要である呼接続要求情報は呼接続要求情報変換装置１４を経由することなく伝送されるため、呼接続要求情報の伝送遅延を抑止することができる。また、呼接続要求情報変換装置１４はアドレス情報の形式変換が必要な呼接続要求情報に限って処理すればよいので、全ての呼接続要求情報を処理する場合に比べて負荷が軽減される。
【００６１】
（第２の実施の形態）
図６は第２の実施の形態に係る呼接続中継システム２の構成を示すブロック図である。なお、図６において図１と同一部分には同一符号を付し、その詳細な説明は省略する。
図６に示すように呼接続中継システム２は、呼接続要求装置１１、呼接続先装置１２、呼接続要求情報変換装置１４、データ変換装置１５および呼接続中継装置２３を含む。そしてこれらの呼接続要求装置１１、呼接続先装置１２、呼接続要求情報変換装置１４、データ変換装置１５および呼接続中継装置２３は、インターネット等のネットワーク１６を介して互いに通信可能となっている。
【００６２】
なお、これらの呼接続要求装置１１、呼接続先装置１２、呼接続要求情報変換装置１４、データ変換装置１５および呼接続中継装置２３は、図６においては１つずつが図示されているが、それぞれ複数が含まれていても良い。
【００６３】
このように第２の実施の形態の呼接続中継システム２は、第１の実施の形態の呼接続中継システム１における呼接続中継装置１３に代えて呼接続中継装置２３を備える。
【００６４】
図７は呼接続中継装置２３の構成を示すブロック図である。なお、図７において図２と同一部分には同一符号を付し、その詳細な説明は省略する。
図７に示すように呼接続中継装置２３は、呼接続要求情報受信部１３１、形式判断部１３４、呼接続要求情報送信部１３５、ネットワークインタフェース１３６、端末アドレス情報受信部２３１、端末アドレス情報格納部２３２、要求元端末アドレス情報取得部２３３、要求元形式情報取得部２３４、要求先端末アドレス情報取得部２３５および要求先形式情報取得部２３６を含む。
【００６５】
なお呼接続中継装置２３は、例えば端末装置間に介在してＳＩＰに準拠した各命令を中継するＳＩＰサーバとして動作するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【００６６】
端末アドレス情報受信部２３１は、呼接続要求装置１１によって送信されてネットワーク１６を介して到来した端末アドレス情報をネットワークインタフェース１３６を介して受信する。端末アドレス情報受信部２３１は、受信した端末アドレス情報を出力する。なお端末アドレス情報は、呼接続要求元および呼接続要求先の端末装置の利用者を識別する利用者識別情報と端末装置のアドレス情報とを含む。
【００６７】
端末アドレス情報格納部２３２は、端末アドレス情報受信部２３１から出力された端末アドレス情報を格納する。
【００６８】
要求元端末アドレス情報取得部２３３は、呼接続要求情報受信部１３１から出力される呼接続要求情報に含まれる呼接続要求元の利用者識別情報に基づいて端末アドレス情報格納部２３２より呼接続要求元の端末アドレス情報を取得する。
要求元端末アドレス情報取得部２３３は、取得した端末アドレス情報を要求元形式情報取得部２３４に出力する。
【００６９】
要求元形式情報取得部２３４は、呼接続要求元を指すアドレス情報、すなわち呼接続要求装置１１を指すアドレス情報の形式を表す要求元形式情報を要求元端末アドレス情報取得部２３３から出力される端末アドレス情報より取得する。要求元形式情報取得部２３４は、取得した要求元形式情報を形式判断部１３４に出力する。
【００７０】
要求先端末アドレス情報取得部２３５は、呼接続要求情報受信部１３１から出力される呼接続要求情報に含まれる呼接続要求先の利用者識別情報に基づいて端末アドレス情報格納部２３２より呼接続要求先の端末アドレス情報を取得する。
要求先端末アドレス情報取得部２３５は、取得した端末アドレス情報を要求先形式情報取得部２３６に出力する。
【００７１】
要求先形式情報取得部２３６は、呼接続要求先を指すアドレス情報、すなわち呼接続先装置１２を指すアドレス情報の形式を表す要求先形式情報を要求先端末アドレス情報取得部２３５から出力される端末アドレス情報より取得する。要求先形式情報取得部２３６は、取得した要求先形式情報を形式判断部１３４に出力する。
【００７２】
そして形式判断部１３４へは、要求元形式情報取得部２３４が出力する要求元形式情報と、要求先形式情報取得部２３６が出力する要求先形式情報とがそれぞれ入力される。
【００７３】
なお、端末アドレス情報受信部２３１および端末アドレス情報格納部２３２は、ＳＩＰネットワークにおける登録サーバ（Ｒｅｇｉｓｔｒａｒ  Ｓｅｒｖｅｒ、以下単にＲｅｇｉｓｔｒａｒと称する）を構成する。
【００７４】
また、上述した端末アドレス情報は、利用者の居場所を登録するＲＥＧＩＳＴＥＲ命令によって構成される。このＲＥＧＩＳＴＥＲ命令よりＩＰアドレスが得られない場合には、ＩＰアドレスの代わりに格納されているドメイン名等の宛先情報に基づいて、前述したＤＮＳを介してＩＰアドレスを取得するようにしてもよい。
【００７５】
次に以上のように構成された呼接続中継システム２の動作につき説明する。
呼接続要求装置１１や呼接続先装置１２からは、例えば利用者による操作に基づいて端末アドレス情報が呼接続中継装置２３へ送信される。この端末アドレス情報には、この端末アドレス情報を送信する装置のアドレス情報と上記利用者を識別する利用者識別情報とが含まれる。
【００７６】
図８は呼接続中継装置２３の端末アドレス情報受信動作を示すフローチャートである。
呼接続中継装置２３にて端末アドレス情報受信部２３１は、端末アドレス情報が到来するのを待ち受けており、上述のように呼接続要求装置１１または呼接続先装置１２から送信された端末アドレス情報が到来したならば、この端末アドレス情報を端末アドレス情報受信部２３１が受信する（ステップＳ３１）。
【００７７】
次に端末アドレス情報格納部２３２が、端末アドレス情報受信部２３１によって受信された端末アドレス情報を格納する（ステップＳ３２）。
【００７８】
図９は呼接続中継装置２３の呼接続要求中継動作を示すフローチャートである。なお図９において図４と同一の処理が行われるステップには同一の符号を付し、その詳細な説明は省略する。
ステップＳ１１にて呼接続要求情報が呼接続要求情報受信部１３１によって受信されたならば、この受信された呼接続要求情報に含まれる呼接続要求元の利用者識別情報に基づいて、要求元端末アドレス情報取得部２３３が端末アドレス情報格納部２３２より呼接続要求元の端末アドレス情報を取得する（ステップＳ４１）。そして要求元形式情報取得部２３４が、この要求元端末アドレス情報取得部２３３により取得された端末アドレス情報から要求元形式情報を取得する（ステップＳ４２）。
【００７９】
また、上記の呼接続要求情報に含まれる呼接続要求先の利用者識別情報に基づいて、要求先端末アドレス情報取得部２３５が端末アドレス情報格納部２３２より呼接続要求先の端末アドレス情報を取得する（ステップＳ４３）。そして要求先形式情報取得部２３６が、この要求先端末アドレス情報取得部２３５により取得された端末アドレス情報から要求先形式情報を取得する（ステップＳ４４）。
【００８０】
次に、形式判断部１３４がステップＳ１４の判断を、ステップＳ４２にて取得された要求元形式情報に示される形式とステップＳ４４にて取得された要求先形式情報に示される形式との比較により行う。そしてステップＳ１５またはステップＳ１６にて、第１の実施の形態と同様にして呼接続要求情報を送信する。
【００８１】
以上説明したように呼接続中継システム２は、呼接続中継装置２３において呼接続要求元の利用者が利用している端末のアドレス情報および呼接続要求先の利用者が利用している端末のアドレス情報をそれぞれ取得する。そして呼接続中継装置２３においてアドレス情報の形式変換の要否を判断する。そして、形式変換が必要である場合にのみ、呼接続要求情報は呼接続要求情報変換装置１４を介して呼接続先装置１２に送信され、形式変換が必要でない場合には、呼接続要求情報は呼接続要求情報変換装置１４を介さずに呼接続中継装置２３から呼接続先装置１２に送信される。従って、アドレス情報の形式変換が不要である呼接続要求情報は呼接続要求情報変換装置１４を経由することなく伝送されるため、呼接続要求情報の伝送遅延を抑止することができる。また、呼接続要求情報変換装置１４はアドレス情報の形式変換が必要な呼接続要求情報に限って処理すればよいので、全ての呼接続要求情報を処理する場合に比べて負荷が軽減される。
【００８２】
（第３の実施の形態）
図１０は第３の実施の形態に係る呼接続中継システム３の構成を示すブロック図である。なお、図１０において図１と同一部分には同一符号を付し、その詳細な説明は省略する。
図１０に示すように呼接続中継システム３は、呼接続要求装置１１、呼接続先装置１２、データ変換装置１５、呼接続中継装置３３および呼接続要求情報変換装置３４を含む。そしてこれらの呼接続要求装置１１、呼接続先装置１２、データ変換装置１５、呼接続中継装置３３および呼接続要求情報変換装置３４は、インターネット等のネットワーク１６を介して互いに通信可能となっている。
【００８３】
なお、これらの呼接続要求装置１１、呼接続先装置１２、データ変換装置１５、呼接続中継装置３３および呼接続要求情報変換装置３４は、図１０においては１つずつが図示されているが、それぞれ複数が含まれていても良い。
【００８４】
このように第３の実施の形態の呼接続中継システム３は、第１の実施の形態の呼接続中継システム１における呼接続中継装置１３に代えて呼接続中継装置３３を備えるとともに、呼接続要求情報変換装置１４に代えて呼接続要求情報変換装置３４を備える。
【００８５】
図１１は呼接続要求情報変換装置３４の構成を示すブロック図である。なお、図１１において図３と同一部分には同一符号を付し、その詳細な説明は省略する。
図１１に示すように呼接続要求情報変換装置３４は、呼接続要求中継情報受信部１４１、変換呼接続要求情報送信部１４３、形式変換情報送信部１４４、ネットワークインタフェース１４５、端末アドレス情報受信部３４１、アドレス情報生成部３４２、アドレス対応情報送信部３４３、アドレス対応情報格納部３４４および形式変換部３４５を含む。
【００８６】
呼接続要求情報変換装置３４は、ＳＩＰ−ＡＬＧおよびトランスレータとして機能するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【００８７】
端末アドレス情報受信部３４１は、呼接続要求装置１１または呼接続先装置１２を含む端末装置より送信されてネットワーク１６を伝送されてきた端末アドレス情報をネットワークインタフェース１４５を介して受信する。端末アドレス情報受信部３４１は、受信した端末アドレス情報を出力する。上記の端末アドレス情報は、呼接続要求元および呼接続要求先の端末装置の利用者を識別する利用者識別情報と端末装置のアドレス情報とを含む。
【００８８】
アドレス情報生成部３４２は、端末アドレス情報受信部３４１が出力する端末アドレス情報に含まれる第１のアドレス情報とは異なる形式の呼接続要求情報変換装置３４を指す第２のアドレス情報を生成する。アドレス情報生成部３４２は、上記の端末アドレス情報に示されていた利用者識別情報および第１のアドレス情報と、上記の生成した第２のアドレス情報とを含むアドレス対応情報を生成し、このアドレス対応情報を出力する。
【００８９】
具体的には、アドレス情報生成部３４２は、入力された端末アドレス情報に含まれる第１のアドレス情報の形式がＩＰｖ４を示す場合には、ＩＰｖ６形式に準拠し、呼接続要求情報変換装置３４を指した第２のアドレス情報を生成する。また、アドレス情報生成部３４２は、入力された端末アドレス情報に含まれる第１のアドレス情報の形式がＩＰｖ６を示す場合には、ＩＰｖ４形式に準拠し、呼接続要求情報変換装置３４を指した第２のアドレス情報を生成する。
【００９０】
アドレス対応情報送信部３４３は、アドレス情報生成部３４２が出力するアドレス対応情報を、呼接続中継装置３３へと送信するためにネットワークインタフェース１４５を介してネットワーク１６へと送出する。
【００９１】
アドレス対応情報格納部３４４は、アドレス情報生成部３４２が出力するアドレス対応情報を格納する。
【００９２】
形式変換部３４５は、呼接続要求中継情報受信部１４１が出力する呼接続要求情報にて呼接続要求先として指定された呼接続要求情報変換装置３４を指す第２のアドレス情報を、アドレス対応情報格納部３４４に格納されたアドレス対応情報に基づいて呼接続先装置１２を指す第１のアドレス情報に変換する。形式変換部３４５は、アドレス情報を変換した後の呼接続要求情報を変換呼接続要求情報送信部１４３へ出力する。また、形式変換部３４５は、呼接続要求元を指すアドレス情報と第１のアドレス情報とを含む形式変換情報を生成し、この形式変換情報を形式変換情報送信部１４４へ出力する。
【００９３】
なお、形式変換部３４５は、ＡＣＫ命令等の呼接続に関するその他の命令も呼接続要求情報と同様にアドレス情報を変換する。また、形式変換部３４５は、呼接続先装置１２から呼接続要求装置１１に向けて送信されるＴＲＹＩＮＧ命令、およびＲＩＮＧＩＮＧ命令等の呼接続の要求に対する応答命令に対しては、呼接続要求情報と逆にアドレス情報を変換する。
【００９４】
以上のように構成された呼接続要求情報変換装置３４において、端末アドレス情報受信部３４１、アドレス対応情報送信部３４３、アドレス情報生成部３４２およびアドレス対応情報格納部３４４は、ＳＩＰネットワークにおけるＲｅｇｉｓｔｒａｒを構成する。
【００９５】
図１２は呼接続中継装置３３の構成を示すブロック図である。なお、図１２において図２と同一部分には同一符号を付し、その詳細な説明は省略する。
図１２に示すように呼接続中継装置３３は、呼接続要求情報受信部１３１、ネットワークインタフェース１３６、アドレス対応情報受信部３３１、アドレス情報格納部３３２、要求元アドレス情報取得部３３３、要求元形式情報取得部３３４、アドレス情報取得部３３５および呼接続要求情報送信部３３６を含む。
【００９６】
なお呼接続中継装置３３は、例えば端末装置間に介在してＳＩＰに準拠した各命令を中継するＳＩＰサーバとして動作するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【００９７】
アドレス対応情報受信部３３１は、呼接続要求情報変換装置３４のアドレス対応情報送信部３４３により送信されてネットワーク１６を伝送されてきたアドレス対応情報をネットワークインタフェース１３６を介して受信する。アドレス対応情報受信部３３１は、受信したアドレス対応情報を出力する。
【００９８】
アドレス情報格納部３３２は、アドレス対応情報受信部３３１が出力するアドレス対応情報に含まれる利用者識別情報と第１のアドレス情報と第２のアドレス情報とを対応させて格納する。
【００９９】
要求元アドレス情報取得部３３３は、呼接続要求情報受信部１３１が出力する呼接続要求情報に含まれる呼接続要求元の利用者識別情報に基づいてアドレス情報格納部３３２より呼接続要求元のアドレス情報、すなわち呼接続要求装置１１を指すアドレス情報を取得する。要求元アドレス情報取得部３３３は、取得したアドレス情報を出力する。
【０１００】
要求元形式情報取得部３３４は、呼接続要求元を指すアドレス情報の形式を表す要求元形式情報を、要求元アドレス情報取得部３３３が出力する端末アドレス情報より取得する。要求元形式情報取得部３３４は、取得した要求元形式情報をアドレス情報取得部３３５に出力する。
【０１０１】
アドレス情報取得部３３５は、呼接続要求情報受信部１３１が出力する呼接続要求情報に示された呼接続先の利用者識別情報に対応するアドレス情報のうち、要求元形式情報取得部３３４が出力する要求元形式情報に示される形式と等しい形式のアドレス情報をアドレス情報格納部３３２より取得する。アドレス情報取得部３３５は、取得したアドレス情報を呼接続要求情報送信部３３６に出力する。
【０１０２】
呼接続要求情報送信部３３６は、アドレス情報取得部３３５が出力するアドレス情報に基づいて、呼接続要求情報受信部１３１が出力する呼接続要求情報をネットワークインタフェース１３６を介して送信する。
【０１０３】
なお、呼接続中継装置３３において、要求元形式情報取得部３３４が呼接続要求情報より要求元形式情報を取得するようにしてもよい。
【０１０４】
次に以上のように構成された呼接続中継システム３の動作につき説明する。
呼接続要求装置１１や呼接続先装置１２からは、例えば利用者による操作に基づいて端末アドレス情報が呼接続要求情報変換装置３４へ送信される。この端末アドレス情報には、この端末アドレス情報を送信する装置のアドレス情報と上記利用者を識別する利用者識別情報とが含まれる。
【０１０５】
図１３は呼接続要求情報変換装置３４の端末アドレス情報受信動作を示すフローチャートである。
呼接続要求情報変換装置３４において端末アドレス情報受信部３４１は、端末アドレス情報が到来するのを待ち受けており、上述のように呼接続要求装置１１や呼接続先装置１２によって送信された端末アドレス情報が到来したならば、この端末アドレス情報を端末アドレス情報受信部３４１が受信する（ステップＳ５１）。
【０１０６】
次に、端末アドレス情報受信部３４１が、上記の受信された端末アドレス情報に含まれる第１のアドレス情報とは異なる形式の呼接続要求情報変換装置３４を指す第２のアドレス情報を生成する（ステップＳ５２）。具体的には、呼接続要求情報変換装置３４はネットワーク１６にて割り当てられたアドレス情報を複数有する。そして端末アドレス情報受信部３４１は、上記の複数のアドレス情報のうちの未使用状態であるアドレス情報のうちの１つを選択することで第２のアドレス情報を生成する。なお未使用状態とは、既に別の第１のアドレス情報に対応付ける第２のアドレス情報として選択されていない状態を指す。従って第２のアドレス情報は、第１のアドレス情報と１対１に対応する。
【０１０７】
そしてアドレス情報生成部３４２が、上記の受信された端末アドレス情報に含まれる利用者識別情報および第１のアドレス情報と上記の生成した第２のアドレス情報とを含むアドレス対応情報を生成する（ステップＳ５３）。
【０１０８】
次にアドレス対応情報送信部３４３が、上記の生成されたアドレス対応情報を呼接続中継装置３３へ送信する（ステップＳ５４）。またアドレス対応情報格納部３４４が、上記の生成されたアドレス対応情報を格納する（ステップＳ５５）。
【０１０９】
図１４は呼接続中継装置３３のアドレス対応情報受信動作を示すフローチャートである。
呼接続中継装置３３にて端末アドレス情報受信部２３１は、アドレス対応情報が到来するのを待ち受けており、上述のように呼接続要求情報変換装置３４からから送信されたアドレス対応情報が到来したならば、この端末アドレス情報をアドレス対応情報受信部３３１が受信する（ステップＳ６１）。
【０１１０】
次にアドレス情報格納部３３２が、アドレス対応情報受信部３３１によって受信されたアドレス対応情報を格納する（ステップＳ６２）。
【０１１１】
図１５は呼接続中継装置３３の呼接続要求中継動作を示すフローチャートである。なお図１５において図４と同一の処理が行われるステップには同一の符号を付する。
呼接続中継装置３３にて呼接続要求情報受信部１３１は、呼接続要求情報が到来するのを待ち受けており、呼接続要求装置１１から送信された呼接続要求情報が到来したならば、この呼接続要求情報を呼接続要求情報受信部１３１が受信する（ステップＳ１１）。
【０１１２】
次に要求元アドレス情報取得部３３３が、上記の受信された呼接続要求情報に含まれる呼接続要求元の利用者識別情報に基づいてアドレス情報格納部３３２より呼接続要求元のアドレス情報を取得する（ステップＳ７１）。そして要求元形式情報取得部３３４が、上記の取得されたアドレス情報より要求元形式情報を取得する（ステップＳ７２）。
【０１１３】
アドレス情報取得部３３５は、上記の取得された要求元形式情報がＩＰｖ６に準拠した形式であるか否かを判断する（ステップＳ７３）。もし、要求元形式情報がＩＰｖ６に準拠した形式であれば、アドレス情報取得部３３５は、アドレス情報格納部３３２に格納された呼接続要求先の利用者識別情報に対応するアドレス情報のうちＩＰｖ６に準拠した形式のアドレス情報を取得する（ステップＳ７４）。しかし、要求元形式情報がＩＰｖ４に準拠した形式であれば、アドレス情報取得部３３５は、アドレス情報格納部３３２に格納された呼接続要求先の利用者識別情報に対応するアドレス情報のうちＩＰｖ４に準拠した形式のアドレス情報を取得する（ステップＳ７５）。
【０１１４】
そして呼接続要求情報送信部３３６が、ステップＳ１１にて受信された呼接続要求情報における呼接続要求先のアドレス情報を上記のステップＳ７４またはステップＳ７５にて取得されたアドレス情報に置換した上で、このようにアドレス情報を置換した後の呼接続要求情報をネットワークインタフェース１３６を介して送信する（ステップＳ７６）。
【０１１５】
アドレス情報格納部３３２にて１つの利用者識別情報に対応させて格納されている２つの形式のアドレス情報は、一方が呼接続先装置１２を指すアドレス情報であり、他方が呼接続要求情報変換装置３４を指すアドレス情報である。従って、ステップＳ７４またはステップＳ７５にて呼接続先装置１２を指すアドレス情報が選択されたのであれば、ステップＳＴ７６で送信される呼接続要求情報は呼接続先装置１２を呼接続要求先としたものとなる。この結果、この呼接続要求情報はネットワーク１６を介して呼接続先装置１２へと伝送されることになる。これに対して、ステップＳ７４またはステップＳ７５にて呼接続要求情報変換装置３４を指すアドレス情報が選択されたのであれば、ステップＳＴ７６で送信される呼接続要求情報は呼接続要求情報変換装置３４を呼接続要求先としたものとなる。この結果、この呼接続要求情報はネットワーク１６を介して呼接続要求情報変換装置３４へと伝送されることになる。
【０１１６】
図１６は呼接続要求情報変換装置３４の呼接続要求情報変換動作を示すフローチャートである。なお図１６において図５と同一の処理が行われるステップには同一の符号を付する。
呼接続要求情報変換装置３４において呼接続要求中継情報受信部１４１は、呼接続要求情報が到来するのを待ち受けており、上述のように呼接続中継装置３３から送信された呼接続要求情報が到来したならば、この呼接続要求情報を呼接続要求中継情報受信部１４１が受信する（ステップＳ２１）。
【０１１７】
ここで受信される呼接続要求情報は、呼接続要求先を指すアドレスが常に第２のアドレス情報に相当する。そこで呼接続要求情報が受信されたならば、形式変換部３４５が、上記の受信された呼接続要求情報に含まれる呼接続要求先を指す第２のアドレス情報をこの第２のアドレス情報に対応させてアドレス対応情報格納部３４４に格納された第１のアドレス情報に置換する（ステップＳ８１）。
【０１１８】
そして変換呼接続要求情報送信部１４３が、上記のようにしてアドレス情報が置換された呼接続要求情報をネットワークインタフェース１４５を介して呼接続先装置１２へ送信する（ステップＳ２５）。
【０１１９】
第１のアドレス情報は呼接続先装置１２を指すアドレス情報であるので、ここで送信された呼接続要求情報はネットワーク１６を介して呼接続先装置１２へと伝送されることになる。
【０１２０】
以上説明したように、呼接続中継システム３によれば、呼接続要求情報変換装置３４において、呼接続要求先を指す第１のアドレス情報に１対１に対応し、かつ上記第１のアドレス情報とは異なる形式の呼接続要求情報変換装置を指すアドレス情報を第２のアドレス情報として予め生成する。そして呼接続中継装置３３および呼接続要求情報変換装置３４のそれぞれで、利用者識別情報と上記の第１のアドレス情報と第２のアドレス情報とを対応させて格納しておく。呼接続中継装置３３は、呼接続要求装置１１から送信された呼接続要求情報に含まれる呼接続要求先の利用者識別情報に対応する第１のアドレス情報および第２のアドレス情報のうちで呼接続要求元のアドレス情報と同一の形式のアドレス情報を選択し、このアドレス情報を呼接続要求先として上記の呼接続要求情報を送信する。従って、呼接続中継装置３３が格納している呼接続要求先の第１のアドレス情報が呼接続元のアドレス情報と同一の形式である場合には、呼接続要求情報は呼接続要求情報変換装置１４を経由することなく伝送されるため、呼接続要求情報の伝送遅延を抑止することができる。また、呼接続要求情報変換装置３４はアドレス情報の形式変換が必要な呼接続要求情報に限って処理すればよいので、全ての呼接続要求情報を処理する場合に比べて負荷が軽減される。
【０１２１】
（第１の変形例）
第１の実施の形態と第２の実施形態とを組み合わせて実施することができる。
これは、第２の実施形態における呼接続中継装置２３に代えて図１７に示す呼接続中継装置２３ａを用いることで実現できる。
【０１２２】
図１７は呼接続中継装置２３ａの構成を示すブロック図である。なお、図１７において図２および図７と同一部分には同一符号を付し、その詳細な説明は省略する。
図１７に示すように呼接続中継装置２３ａは、呼接続要求情報受信部１３１、要求元形式情報取得部１３２、形式判断部１３４、呼接続要求情報送信部１３５、ネットワークインタフェース１３６、端末アドレス情報受信部２３１、端末アドレス情報格納部２３２、要求先端末アドレス情報取得部２３５および要求先形式情報取得部２３６を含む。
【０１２３】
なお呼接続中継装置２３ａは、例えば端末装置間に介在してＳＩＰに準拠した各命令を中継するＳＩＰサーバとして動作するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【０１２４】
図１７から分かるように呼接続中継装置２３ａは、呼接続中継装置２３から要求元端末アドレス情報取得部２３３を除去するとともに、要求元形式情報取得部２３４に代えて要求元形式情報取得部１３２を設けている。すなわち呼接続中継装置２３ａは、要求元形式情報を第１の実施の形態のように呼接続要求情報に含まれる要求元アドレス情報から取得するようにした点が第２の実施の形態から変更されている。
【０１２５】
図１８は呼接続中継装置２３ａの呼接続要求中継動作を示すフローチャートである。なお図１８において図４および図９と同一の処理が行われるステップには同一の符号を付し、その詳細な説明は省略する。
この変形例は、呼接続要求情報には、呼接続要求元を示すためにアドレス情報が示され、また呼接続要求先を示すために利用者識別情報が示される状況で使用されることが前提となる。
【０１２６】
ステップＳ１１にて呼接続要求情報が呼接続要求情報受信部１３１によって受信されたならば、要求元形式情報取得部１３２が、上記の呼接続要求情報から要求元形式情報を取得する（ステップＳ１２）。次に上記の呼接続要求情報に含まれる呼接続要求先の利用者識別情報に基づいて、要求先端末アドレス情報取得部２３５が端末アドレス情報格納部２３２より呼接続要求先の端末アドレス情報を取得する（ステップＳ４３）。これ以降において呼接続中継装置２３ａは、第２の実施の形態と同様にして処理を行う。
【０１２７】
（第２の変形例）
第１の変形例では、呼接続要求情報には、呼接続要求元を示すためにアドレス情報が示され、また呼接続要求先を示すために利用者識別情報が示される状況で使用されることを前提としているが、呼接続要求元を示すためにアドレス情報および利用者識別情報のいずれが示されるかが不定である状況で使用されることを前提とするようにさらに変形することも可能である。
これは、第２の実施形態における呼接続中継装置２３に代えて図１９に示す呼接続中継装置２３ｂを用いることで実現できる。
【０１２８】
図１９は呼接続中継装置２３ｂの構成を示すブロック図である。なお、図１９において図２および図７と同一部分には同一符号を付し、その詳細な説明は省略する。
図１９に示すように呼接続中継装置２３ｂは、呼接続要求情報受信部１３１、形式判断部１３４、呼接続要求情報送信部１３５、ネットワークインタフェース１３６、端末アドレス情報受信部２３１、端末アドレス情報格納部２３２、要求元形式情報取得部２３４、要求先端末アドレス情報取得部２３５、要求先形式情報取得部２３６および要求元端末アドレス情報取得部２３３ｂを含む。
【０１２９】
なお呼接続中継装置２３ｂは、例えば端末装置間に介在してＳＩＰに準拠した各命令を中継するＳＩＰサーバとして動作するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【０１３０】
図１９から分かるように呼接続中継装置２３ｂは、呼接続中継装置２３における要求元端末アドレス情報取得部２３３に代えて要求元端末アドレス情報取得部２３３ｂを設けている。
【０１３１】
要求元端末アドレス情報取得部２３３ｂは、呼接続要求情報受信部１３１が出力する呼接続要求情報に呼接続要求元を指すアドレス情報が含まれるならば、このアドレス情報の形式を表す要求元形式情報を取得する。要求元端末アドレス情報取得部２３３ｂは、呼接続要求情報受信部１３１が出力する呼接続要求情報に呼接続要求元を指すアドレス情報が含まれないならば、呼接続要求情報受信部１３１から出力される呼接続要求情報に含まれる呼接続要求元の利用者識別情報に基づいて端末アドレス情報格納部２３２より呼接続要求元の端末アドレス情報を取得する。要求元端末アドレス情報取得部２３３ｂは、取得した端末アドレス情報を要求元形式情報取得部２３４に出力する。
【０１３２】
図２０は呼接続中継装置２３ｂの呼接続要求中継動作を示すフローチャートである。なお図２０において図４および図９と同一の処理が行われるステップには同一の符号を付し、その詳細な説明は省略する。
ステップＳ１１にて呼接続要求情報が呼接続要求情報受信部１３１によって受信されたならば、要求元端末アドレス情報取得部２３３ｂがその受信された呼接続要求情報に要求元アドレス情報が含まれているか否かを判断する（ステップＳ４０）。
【０１３３】
もし要求元アドレス情報が含まれているならば、要求元端末アドレス情報取得部２３３ｂは上記の受信された呼接続要求情報から要求元形式情報を取得する（ステップＳ１２）。そしてこの場合には、次に処理をステップＳ４３に移行する。
【０１３４】
一方、要求元アドレス情報が含まれていないならば、要求元端末アドレス情報取得部２３３ｂは上記の受信された呼接続要求情報に含まれる呼接続要求元の利用者識別情報に基づいて、要求元端末アドレス情報取得部２３３が端末アドレス情報格納部２３２より呼接続要求元の端末アドレス情報を取得する（ステップＳ４１）。
これ以降において呼接続中継装置２３ｂは、第２の実施の形態と同様にして処理を行う。
【０１３５】
（第３の変形例）
第１の実施の形態と第３の実施形態とを組み合わせて実施することができる。
これは、第３の実施形態における呼接続中継装置３３に代えて図２１に示す呼接続中継装置３３ａを用いることで実現できる。
【０１３６】
図２１は呼接続中継装置３３ａの構成を示すブロック図である。なお、図２１において図２および図７と同一部分には同一符号を付し、その詳細な説明は省略する。
図２１に示すように呼接続中継装置３３ａは、呼接続要求情報受信部１３１、要求元形式情報取得部１３２、ネットワークインタフェース１３６、アドレス対応情報受信部３３１、アドレス情報格納部３３２、アドレス情報取得部３３５および呼接続要求情報送信部３３６を含む。
【０１３７】
なお呼接続中継装置３３ａは、例えば端末装置間に介在してＳＩＰに準拠した各命令を中継するＳＩＰサーバとして動作するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【０１３８】
図２１から分かるように呼接続中継装置３３ａは、呼接続中継装置３３から要求元端末アドレス情報取得部３３３を除去するとともに、要求元形式情報取得部３３４に代えて要求元形式情報取得部１３２を設けている。すなわち呼接続中継装置３３ａは、要求元形式情報を第１の実施の形態のように呼接続要求情報に含まれる要求元アドレス情報から取得するようにした点が第３の実施の形態から変更されている。
【０１３９】
図２２は呼接続中継装置３３ａの呼接続要求中継動作を示すフローチャートである。なお図２２において図４および図９と同一の処理が行われるステップには同一の符号を付し、その詳細な説明は省略する。
この変形例は、呼接続要求情報には、呼接続要求元を示すためにアドレス情報が示され、また呼接続要求先を示すために利用者識別情報が示される状況で使用されることが前提となる。
【０１４０】
ステップＳ１１にて呼接続要求情報が呼接続要求情報受信部１３１によって受信されたならば、要求元形式情報取得部１３２が、上記の呼接続要求情報から要求元形式情報を取得する（ステップＳ１２）。次に上記の取得された要求元形式情報がＩＰｖ６に準拠した形式であるか否かを判断する（ステップＳ７３）。これ以降において呼接続中継装置３３ａは、第３の実施の形態と同様にして処理を行う。
【０１４１】
（第４の変形例）
第３の変形例では、呼接続要求情報には、呼接続要求元を示すためにアドレス情報が示され、また呼接続要求先を示すために利用者識別情報が示される状況で使用されることを前提としているが、呼接続要求元を示すためにアドレス情報および利用者識別情報のいずれが示されるかが不定である状況で使用されることを前提とするようにさらに変形することも可能である。
【０１４２】
これは、第３の実施形態における呼接続中継装置３３に代えて図２３に示す呼接続中継装置３３ｂを用いることで実現できる。
【０１４３】
図２３は呼接続中継装置３３ｂの構成を示すブロック図である。なお、図２３において図２および図７と同一部分には同一符号を付し、その詳細な説明は省略する。
図２３に示すように呼接続中継装置３３ｂは、呼接続要求情報受信部１３１、ネットワークインタフェース１３６、アドレス対応情報受信部３３１、アドレス情報格納部３３２、要求元形式情報取得部３３４、アドレス情報取得部３３５、呼接続要求情報送信部３３６および要求元アドレス情報取得部３３３ｂを含む。
【０１４４】
なお呼接続中継装置３３ｂは、例えば端末装置間に介在してＳＩＰに準拠した各命令を中継するＳＩＰサーバとして動作するコンピュータ装置を基本構成として利用することができる。そして上記の各部は、上記のコンピュータ装置が有するＣＰＵに上記各部としての処理を記述したプログラムを実行させることで実現できる。上記のプログラムは、予め上記コンピュータ装置に内蔵された記録媒体に記憶させておいても良いし、ＣＤ−ＲＯＭなどのようなリムーバブルな記録媒体に格納して、あるいはネットワークを介して配布されるプログラムを上記コンピュータ装置にインストールすることとしても良い。
【０１４５】
図２３から分かるように呼接続中継装置３３ｂは、呼接続中継装置３３における要求元アドレス情報取得部３３３に代えて要求元アドレス情報取得部３３３ｂを設けている。
【０１４６】
要求元アドレス情報取得部３３３ｂは、呼接続要求情報受信部１３１が出力する呼接続要求情報に呼接続要求元を指すアドレス情報が含まれるならば、このアドレス情報の形式を表す要求元形式情報を取得する。要求元アドレス情報取得部３３３ｂは、呼接続要求情報受信部１３１が出力する呼接続要求情報に呼接続要求元を指すアドレス情報が含まれないならば、呼接続要求情報受信部１３１が出力する呼接続要求情報に含まれる呼接続要求元の利用者識別情報に基づいてアドレス情報格納部３３２より呼接続要求元のアドレス情報、すなわち呼接続要求装置１１を指すアドレス情報を取得する。要求元アドレス情報取得部３３３ｂは、取得したアドレス情報を出力する。
【０１４７】
図２４は呼接続中継装置３３ｂの呼接続要求中継動作を示すフローチャートである。なお図２４において図４および図９と同一の処理が行われるステップには同一の符号を付し、その詳細な説明は省略する。
ステップＳ１１にて呼接続要求情報が呼接続要求情報受信部１３１によって受信されたならば、要求元アドレス情報取得部３３３ｂがその受信された呼接続要求情報に要求元アドレス情報が含まれているか否かを判断する（ステップＳ７０）。
【０１４８】
もし要求元アドレス情報が含まれているならば、要求元アドレス情報取得部３３３ｂは上記の受信された呼接続要求情報から要求元形式情報を取得する（ステップＳ１２）。そしてこの場合には、次に処理をステップＳ７３に移行する。
【０１４９】
一方、要求元アドレス情報が含まれていないならば、要求元アドレス情報取得部３３３ｂは上記の受信された呼接続要求情報に含まれる呼接続要求元の利用者識別情報に基づいて、アドレス情報格納部３３２より呼接続要求元のアドレス情報を取得する（ステップＳ７１）。
これ以降において呼接続中継装置３３ｂは、第３の実施の形態と同様にして処理を行う。
【０１５０】
（その他の変形例）
前記各実施形態では、アドレス情報としてＩＰアドレスを使用し、かつその形式はＩＰｖ４およびＩＰｖ６に準拠した形式としているが、別の形式のＩＰアドレスや、あるいはＩＰアドレスとは異なるアドレス情報に適応するように変更することも可能である。
【０１５１】
このほか、本発明の要旨を逸脱しない範囲で種々の変形実施が可能である。
【０１５２】
【発明の効果】
本発明によれば、要求元アドレス情報の形式変換が必要な呼接続要求情報のみが呼接続要求情報変換装置に送られ、要求元アドレス情報の形式変換がなされるので、呼接続に関する伝送データの伝送に不必要に遅延が生じることを抑止することが可能となる。
【図面の簡単な説明】
【図１】第１の実施の形態に係る呼接続中継システム１の構成を示すブロック図。
【図２】図１中の呼接続中継装置１３の構成を示すブロック図。
【図３】図１中の呼接続要求情報変換装置１４の構成を示すブロック図。
【図４】図１中の呼接続中継装置１３の呼接続要求中継動作を示すフローチャート。
【図５】図１中の呼接続要求情報変換装置１４の呼接続要求情報変換動作を示すフローチャート。
【図６】第２の実施の形態に係る呼接続中継システム２の構成を示すブロック図。
【図７】図６中の呼接続中継装置２３の構成を示すブロック図。
【図８】図６中の呼接続中継装置２３の端末アドレス情報受信動作を示すフローチャート。
【図９】図６中の呼接続中継装置２３の呼接続要求中継動作を示すフローチャート。
【図１０】第３の実施の形態に係る呼接続中継システム３の構成を示すブロック図。
【図１１】図１０中の呼接続要求情報変換装置３４の構成を示すブロック図。
【図１２】図１０中の呼接続中継装置３３の構成を示すブロック図。
【図１３】図１０中の呼接続要求情報変換装置３４の端末アドレス情報受信動作を示すフローチャート。
【図１４】図１０中の呼接続中継装置３３のアドレス対応情報受信動作を示すフローチャート。
【図１５】図１０中の呼接続中継装置３３の呼接続要求中継動作を示すフローチャート。
【図１６】図１０中の呼接続要求情報変換装置３４の呼接続要求情報変換動作を示すフローチャート。
【図１７】第１の変形例における呼接続中継装置２３ａの構成を示すブロック図。
【図１８】図１８に示される呼接続中継装置２３ａの呼接続要求中継動作を示すフローチャート。
【図１９】第２の変形例における呼接続中継装置２３ｂの構成を示すブロック図。
【図２０】図１９に示される呼接続中継装置２３ｂの呼接続要求中継動作を示すフローチャート。
【図２１】第３の変形例における呼接続中継装置３３ａの構成を示すブロック図。
【図２２】図２１に示される呼接続中継装置３３ａの呼接続要求中継動作を示すフローチャート。
【図２３】第４の変形例における呼接続中継装置３３ｂの構成を示すブロック図。
【図２４】図２３に示される呼接続中継装置３３ｂの呼接続要求中継動作を示すフローチャート。
【符号の説明】
１，２，３…呼接続中継システム、１１…呼接続要求装置、１２…呼接続先装置、１３，２３，３３…呼接続中継装置、１４，３４…呼接続要求情報変換装置、１５…データ変換装置、１６…ネットワーク、１３１…呼接続要求情報受信部、１３２…要求元形式情報取得部、１３３，２３６…要求先形式情報取得部、１３４…形式判断部、１３５，３３６…呼接続要求情報送信部、１３６，１４５…ネットワークインタフェース、１４１…呼接続要求中継情報受信部、１４２，３４５…形式変換部、１４３…変換呼接続要求情報送信部、１４４…形式変換情報送信部、２３１，３４１…端末アドレス情報受信部、２３２…端末アドレス情報格納部、２３３，２３３ｂ…要求元端末アドレス情報取得部、２３４，３３４…要求元形式情報取得部、２３５…要求先端末アドレス情報取得部、３３１…アドレス対応情報受信部、３３２…アドレス情報格納部、３３３，３３３ｂ…要求元アドレス情報取得部、３３５…アドレス情報取得部、３４２…アドレス情報生成部、３４３…アドレス対応情報送信部、３４４…アドレス対応情報格納部。
【図１】
2004260314.tif 000003
【図２】
2004260314.tif 000004
【図３】
2004260314.tif 000005
【図４】
2004260314.tif 000006
【図５】
2004260314.tif 000007
【図６】
2004260314.tif 000008
【図７】
2004260314.tif 000009
【図８】
2004260314.tif 000010
【図９】
2004260314.tif 000011
【図１０】
2004260314.tif 000012
【図１１】
2004260314.tif 000013
【図１２】
2004260314.tif 000014
【図１３】
2004260314.tif 000015
【図１４】
2004260314.tif 000016
【図１５】
2004260314.tif 000017
【図１６】
2004260314.tif 000018
【図１７】
2004260314.tif 000019
【図１８】
2004260314.tif 000020
【図１９】
2004260314.tif 000021
【図２０】
2004260314.tif 000022
【図２１】
2004260314.tif 000023
【図２２】
2004260314.tif 000024
【図２３】
2004260314.tif 000025
【図２４】
2004260314.tif 000026